(57)【要約】【課題】プラグ型コネクタにおいて、不使用時に接点部を防塵する。操作性や組立性を改善する。ジャック型コネクタとの接続箇所がこじられたときに、ジャック型コネクタから無理なく外れるようにする。【解決手段】ハウジング１に取り付けた可動カバー６によって接点部２１を防塵する。接点部２１を支えている突出部３２のガイド部４２に、可動カバー６の摺動片部６１を嵌合することによって、可動カバー６の出退時の傾きを防ぐ。可動カバー６を付勢するばね体８にコイルばねを用い、そのコイルばねの一端を支持するばね受け座４８の形成箇所にロッド状治具を挿入可能な孔部４９を開設する。突出部３２の他面３０を凸湾曲に形成することにより、突出部３２を差し込んだジャック型コネクタからの外れやすくする。【選択図】　　　　図５
2004095514.tif 000002
【特許請求の範囲】
【請求項１】
接片部材を収容しているハウジングに、相手方コネクタに差し込まれる突出部が備わり、その突出部に、相手方コネクタの電極に接触される上記接片部材の接点部が配備されているプラグ型コネクタにおいて、
上記ハウジングに、上記突出部の接点部配備箇所を覆う突出位置とその後方の後退位置との間で前後方向に出退可能に可動カバーが上記突出位置に向けて常時付勢された状態で取り付けられ、その可動カバーに、上記突出部を相手方コネクタに差し込むのに伴ってその相手方コネクタに当たって押圧される受部が備わっていることを特徴とするプラグ型コネクタ。
【請求項２】
横長に形成された上記突出部の横方向両端部のそれぞれに前後方向に延びるガイド部が備わり、それらのガイド部に案内されて前後方向に摺動可能な摺動片部が横長の上記可動カバーに連設され、その可動カバーが、上記ハウジングの横方向両端部のそれぞれに配備された左右一対のばね体によって上記突出位置に向けて常時付勢されている請求項１に記載したプラグ型コネクタ。
【請求項３】
上記突出部に前後方向に延びるガイド溝が備わり、そのガイド溝に案内されてそのガイド溝内を前後方向に移動可能な前後方向に長いリブが、上記可動カバーに備わっている請求項２に記載したプラグ型コネクタ。
【請求項４】
上記ばね体がコイルばねでなり、そのコイルばねの一端が上記ハウジングに備わっているばね受け座によって支持されていると共に、そのばね受座の形成箇所に、上記コイルばねによって囲まれた囲繞空間に通じ、かつ、そのコイルばねの組付け時に上記ハウジングの前側からその内部に挿入されてきた上記コイルばねに挿入されてそのコイルばねを適正な組付け箇所に支持するロッド状治具を挿入可能な孔部が開設されている請求項２に記載したプラグ型コネクタ。
【請求項５】
上記接点部が上記突出部の片面側でのみその片面から山形に突出されていると共に、上記突出部の他面が、その突出部に嵌合した相手方コネクタの差込み口の口縁を滑らせてその相手方コネクタを突出部から抜け出させるように作用する凸湾曲状に形成されている請求項１ないし請求項４のいずれか１項に記載したプラグ型コネクタ。
【請求項６】
上記ハウジングが上記突出部を備えるベースとそのベースに装着されたカバーとに分割され、上記接片部材が、上記ベースの後面に重ねられた立下り部とその立下り部の下端に連設された端子部とを有していると共に、上記カバーに、接片部材の上記立下り部を上記ベースの後面に押し付ける押圧面が備わっている請求項１ないし請求項５のいずれか１項に記載したプラグ型コネクタ。
【発明の詳細な説明】
【０００１】
【発明の属する技術分野】
本発明は、プラグ型コネクタ、特に、ハウジングの突出部に、相手方コネクタの電極に接触される接点部が配備されているプラグ型コネクタに関する。
【０００２】
【従来の技術】
従来、この種のプラグ型コネクタは、接点部を有する突出部が剥き出しになっていて、粉塵などが接点部に付着しやすいものであった（例えば、特許文献１参照）。
【０００３】
【特許文献１】
特開平５−１４４５１９号公報
【０００４】
【発明が解決しようとする課題】
しかしながら、従来のプラグ型コネクタでは、その突出部を相手方であるジャック型コネクタに差し込むと、接点部に付着した粉塵などがジャック型コネクタに押し込まれてしまう。そのため、ジャック型コネクタに防塵対策としてのシャッターが備わっている場合であっても、接点部と共に押し込まれた粉塵などがジャック型コネクタの内部に溜まるため、不使用時にシャッターによって発揮される防塵作用の意義が薄れていたばかりでなく、粉塵などが電極に付着して接触不良を生じることがあった。
【０００５】
本発明は、以上の状況のもとでなされたものであり、プラグ型コネクタの不使用時に接点部を防塵することを可能にすることによって、相手方であるジャック型コネクタに差し込まれる接点部への粉塵の付着を未然に抑制することを目的とする。
また、本発明は、接点部を防塵したとしても、ジャック型コネクタに差し込むときの操作性が損なわれないプラグ型コネクタを提供することを目的とする。
【０００６】
さらに、本発明は、接点部を防塵するための対策を講じても組立性が損なわれないプラグ型コネクタを提供することを目的とする。
【０００７】
さらに、本発明は、ジャック型コネクタに対する抜き差し操作を容易に無理なく行うことのできるプラグ型コネクタを提供することを目的とする。
【０００８】
【課題を解決するための手段】
本発明に係るプラグ型コネクタでは、接片部材を収容しているハウジングに、相手方コネクタに差し込まれる突出部が備わり、その突出部に、相手方コネクタの電極に接触される上記接片部材の接点部が配備されている。
【０００９】
そして、上記ハウジングに、上記突出部の接点部配備箇所を覆う突出位置とその後方の後退位置との間で前後方向に出退可能に可動カバーが上記突出位置に向けて常時付勢された状態で取り付けられ、その可動カバーに、上記突出部を相手方コネクタに差し込むのに伴ってその相手方コネクタに当たって押圧される受部が備わっている。この構成であると、不使用時には可動カバーが突出位置で突出部の接点部配備箇所を覆って接点部への粉塵などの付着を防ぐ。また、使用に際して突出部を相手方コネクタに差し込むと、可動カバーの受部に相手方コネクタが当たって可動カバーが後退位置まで押し込まれる。したがって、突出部に備わっている接点部が相手方コネクタの電極に接触して電気的接続が行われる。
【００１０】
本発明では、横長に形成された上記突出部の横方向両端部のそれぞれに前後方向に延びるガイド部が備わり、それらのガイド部に案内されて前後方向に摺動可能な摺動片部が横長の上記可動カバーに連設され、その可動カバーが、上記ハウジングの横方向両端部のそれぞれに配備された左右一対のばね体によって上記突出位置に向けて常時付勢されていることが望ましい。これによると、可動カバーが前後方向に出退されるときに、可動カバーが傾くことを摺動片部が防ぐ。そのため、突出部を相手方コネクタに差し込むときに、可動カバーが傾くことなく円滑に後退して操作性が良好に維持される。この作用は、上記突出部に前後方向に延びるガイド溝が備わり、そのガイド溝に案内されてそのガイド溝内を前後方向に移動可能な前後方向に長いリブが、上記可動カバーに備わっている、という構成を採用することによっていっそう顕著に発揮される。
【００１１】
本発明では、上記ばね体がコイルばねでなり、そのコイルばねの一端が上記ハウジングに備わっているばね受け座によって支持されていると共に、そのばね受座の形成箇所に、上記コイルばねによって囲まれた囲繞空間に通じ、かつ、そのコイルばねの組付け時に上記ハウジングの前側からその内部に挿入されてきた上記コイルばねに挿入されてそのコイルばねを適正な組付け箇所に支持するロッド状治具を挿入可能な孔部が開設されていることが望ましい。これによれば、これによれば、超小形のプラグ型コネクタであっても、可動カバーを突出位置に向けて付勢するコイルばねのハウジング内の狭小スペースへの組付けを確実かつ容易に、しかも適正に行うことができる。
【００１２】
本発明では、上記接点部が上記突出部の片面側でのみその片面から山形に突出されていると共に、上記突出部の他面が、その突出部に嵌合した相手方コネクタの差込み口の口縁を滑らせてその相手方コネクタを突出部から抜け出させるように作用する凸湾曲状に形成されていることが望ましい。これによれば、突出部を差し込んだ相手方コネクタからその突出部から抜き出すときに、その突出部の他面を相手方コネクタの差込み口の口縁で滑らせて抜き出すことができる。そのため、突出部をまっすぐに引張って抜き出す場合に比べて抜出しに要する力が小さくて済み、抜出し操作を容易に行うことが可能になる。また、こじり力が加わったときには、突出部の他面が相手方コネクタの差込み口の口縁で滑ってその突出部が相手方コネクタから外れることにより、相手方コネクタや突出部などが損壊するといった事態が防止されるという作用も発揮される。
【００１３】
本発明では、上記ハウジングが上記突出部を備えるベースとそのベースに装着されたカバーとに分割され、上記接片部材が、上記ベースの後面に重ねられた立下り部とその立下り部の下端に連設された端子部とを有していると共に、上記カバーに、接片部材の上記立下り部を上記ベースの後面に押し付ける押圧面が備わっていることが望ましい。これによれば、接片部材の立下り部がベースの後面とカバーの押圧面とにより挟持されるため、接片部材を圧入状態でベースに固定する場合であっても、その圧入部分の長さを短くして確実な取付けが可能になってそれだけ組立性が改善される。
【００１４】
【発明の実施の形態】
図１は本発明に係るプラグ型コネクタの実施形態を示した外観斜視図、図２は接片部材２を備えたベース３の外観斜視図、図３は図１のプラグ型コネクタの内部構造を説明するための斜視断面図、図４はカバーを取り外して示した不使用状態での上記プラグ型コネクタの平面図、図５はカバー５を取り付けた状態での図４のＶ−Ｖ線に沿う部分の断面図、図６はカバー５を取り外して示した使用状態での上記プラグ型コネクタの平面図、図７はカバー５を取り付けた状態での図６のＶＩ矢視図、図８は使用状態での要部断面図、図９は作用を説明するための要部断面図である。
【００１５】
図１又は図２のように、このプラグ型コネクタは、横に並んだ多数の接片部材２を収容しているハウジング１と、このハウジング１に組み付けられた可動カバー６とを備えている。そして、ハウジング１が、ベース３とカバー５とに分割されている。
【００１６】
図２又は図３のように、ベース３は、平面視略矩形の主部３１とその主部３１から前方へ延び出た横長の突出部３２とを備えていて、それらに横並び状態で平行に形成された多数の溝部３３やそれらの溝部３３に各別に連通するスリット３４を有している。そして、ぞれぞれのスリット３４に挿通された接片部材２が、横方向に動かないように上記溝部３３に収容されている。図２のように接片部材２は、前端部に山形の接点部２１を有し、その接点部２１が、突出部３２の片面側でのみその片面３５から突出されている。また、図２のように、接片部材２には、中間部にＳ形の蛇行部２２を具備させてあり、その蛇行部２２によって撓み性を高めてある。さらに、その蛇行部２２には、幅広板片状の立下り部２３やその立下り部２３の下端に連設された端子部２４が備わっている。そして、立下り部２３が、ベース３に接片部材ごとに形成したスリット３４に圧入されてベース３の後面３６に重ね合わされていると共に、その立下り部２３がスリット３４の上下の溝壁面３７，３８によって挟まれている。こうしておくと、立下り部２３が上下及び前の３箇所で位置決めされるので、その立下り部２３に形成する必要のある膨出状の圧着部３９の面積を小さくして圧入作業性を高めることが可能になる。この実施形態では、立下り部２３を重ね合わせてあるベース３の後面３６が、接片部材ごとにベース３の主部３１に形成したスリットに形成した段付面に相当している。
【００１７】
図１又は図３のように、カバー５は、ベース３の主部３１（図２参照）に重なり合う上壁部５１と、この上壁部５１の横方向両側に連設された左右の側壁部５２，５２と、上壁部５１の後端に連設された背壁部５３とを備えている。そして、それぞれの側壁部５２に形成した係合孔５４を、ベース３の主部３１の左右の側面に設けた係合突起４１に係合させることによってベース３に結合されていて、その係合状態では、背壁部５３の内面によって形成されている押圧面５５が、上記立下り部２３をベースの後面３６に押し付けている。これにより、立下り部２３の位置決め固定がいっそう確実になされている。なお、端子部２４は、カバー５の背壁部５３の下方から後方へ突き出ている。
【００１８】
図５又は図７のように、ベース３の突出部３２は、カバー５の上壁５１の前端よりも前側に突き出ていて、その突出部３２が、可動カバー６によって開閉されるようになっている。
【００１９】
図１又は図５のように、可動カバー６は横長に形成されていて、その可動カバー６の左右の端部に連設された溝形の摺動片部６１，６１が、ベース３の突出部３２の横方向の両端部に具備された前後方向に延びるガイド部４２，４２に前後方向摺動可能に嵌合されている。また、可動カバー６の左右の端部に具備された前後方向に長いリブ４３が、突出部３２の左右の端部の片面に備わっている前後方向に延びるガイド溝４４に前後方向移動可能に嵌合されている。さらに、可動カバー６の上面に左右一対の突起４５，４５が備わり、それらの突起４５，４５が、カバー５の上壁部５１の内面に形成された前後方向に長い溝部５６，５６に前後方向移動可能に嵌合されている。したがって、可動カバー６は、カバー５側の溝部５６の長さによって規制される範囲内で、上記摺動片部６１やリブ４３がガイド部４２やガイド溝４４により案内されて前後方向に移動可能である。この実施形態では、可動カバー６が、図４又は図５に示し突出位置と、図６又は図７に示した後退位置との間で前後方向に出退可能になっていて、突出位置では可動カバー６が接点部２１を覆って接点部２１に粉塵などが付着するのを防ぎ、後退位置では接点部２１が突出部３２の片面側で露出する。
【００２０】
図２又は図５のように、ベース３の主部３１に具備させた左右の凹所４６にそれぞれコイルばねでなるばね体８が配備されていて、そのばね体８の一端が、凹所４６の後壁４７の内面でなるばね受け座４８によって支持されている。また、ばね受座４８の形成箇所に、ばね体８を形成しているコイルばねによって囲まれた囲繞空間に通じる孔部４９が開設されている。この孔部４９は、ばね体８を凹所４６に組み付けるときに、ばね体８を適正な組付け箇所に支持するロッド状治具（不図示）を挿入するために設けてある。たとえば、カバー５をベース３に取り付けた後、ベース３の後方から孔部７１に挿通させたロッド状治具に、前方からばね体８を嵌め込んでそのばね体８を適正な組付け箇所に支持させておき、その状態で、可動カバー６の摺動片部６１を前方からガイド部４２に嵌め込んで突起４５を孔部５６に嵌め込むことによって可動カバー６を取り付ける、という手順を採用すると、超小形のプラグ型コネクタであっても、ベース３とカバー５との間の狭小スペースにばね体８を組み付ける作業を正確にかつ迅速に行うことができるという利点がある。そして、そのような手順で可動カバー６を組み付けると、可動カバー６が左右のばね体８，８によって適正に前向きに付勢され、しかも、摺動片部６１やリブ４３によって可動カバー６が円滑に前後方向に案内されるようになる。そのため、可動カバー６が前後方向に移動するときに傾いてその移動の円滑性が損なわれるという事態が起こらない。
【００２１】
次に、図５又は図７のように、ベース３の突出部３２は、その他面３０が凸湾曲状に形成されていることにより先端ほど肉薄になっている。このように他面３０を凸湾曲状に形成したのは、相手方コネクタを突出部３２から抜け出しやすくするためである。
【００２２】
この実施形態のプラグ型コネクタにおいて、その突出部３２を図８のように相手方コネクタとしてのジャック型コネクタ１００の差込み口１１０に差し込むと、それに伴って、相手方コネクタ１００が図１や図７などに示した可動カバー６の前面でなる受部６２を押して可動カバー６をばね体８の付勢に抗して後退位置まで後退させる。こうして突出部３２をジャック型コネクタ１００に差し込むと、接点部２１がジャック型コネクタ１００側の電極１２０に弾接して電気的接続が行われる。この場合、突出部３２をジャック型コネクタ１００に差し込む以前には、図１や図３のように接点部２１が可動カバー６で覆われて粉塵などの付着が防止されている。そのため、突出部３２をジャック型コネクタ１００に差し込んだときに、接点部２１に付着していた粉塵などがジャック型コネクタ１００の内部に押し込まれるという事態が起こりにくい。
【００２３】
また、ジャック型コネクタ１００に突出部３２を差し込んでいる状態で、その差込み箇所がこじられた場合は、図９のように、突出部３２の他面３０がジャック型コネクタ１００の差込み口１１０の口縁で矢印のように滑ってその突出部３２がジャック型コネクタ１００から無理なく外れる。この作用により、ジャック型コネクタ１００や突出部３２などが損壊するといった事態が防止される。また、突出部３２を差し込んだジャック型コネクタ１００からその突出部３２を抜き出すときに、その突出部３２の他面３０をジャック型コネクタ１００の差込み口１１０の口縁で滑らせて抜き出すことができる。そのようにすると、突出部３２をまっすぐに引張って抜き出す場合に比べて抜出しに要する力が小さくて済み、抜出し操作を容易に行うことが可能になる。図８及び図９において、１３０はジャック型コネクタの防塵用シャッタを示している。
【００２４】
なお、突出部３２をジャック型コネクタ１００から抜き出すと、それに伴って、ばね体８によって付勢されている可動カバー６が突出位置に復帰する。
【００２５】
【発明の効果】
以上のように、本発明によれば、プラグ型コネクタの不使用時に可動カバーが接点部を防塵するので、このプラグ型コネクタを相手方であるジャック型コネクタに接続した際に、接点部に付着した粉塵などに起因する接続不良が生じにくくなる。そして、可動カバーによって接点部を防塵することができるものであるにもかかわらず、ジャック型コネクタに差し込むときには可動カバーがジャック型コネクタに押されて後退するので、着脱時の操作性が損なわれることはない。さらに、ロッド状治具を使ってばね体の組付け性を改善することが可能になる。さらに、ジャック型コネクタに対する抜き差し操作を容易に無理なく行うことが可能になるばかりか、両コネクタの接続部分がこじられたような場合には、突出部がジャック型コネクタから無理なく外れて損壊が未然に防止されるという効果が得られる。
【図面の簡単な説明】
【図１】本発明に係るプラグ型コネクタの実施形態を示した外観斜視図である。
【図２】接片部材を備えたベースの外観斜視図である。
【図３】図１のプラグ型コネクタの内部構造を説明するための斜視断面図である。
【図４】カバーを取り外して示した不使用状態での上記プラグ型コネクタの平面図である。
【図５】カバーを取り付けた状態での図４のＶ−Ｖ線に沿う部分の断面図である。
【図６】カバーを取り外して示した使用状態での上記プラグ型コネクタの平面図である。
【図７】カバーを取り付けた状態での図６のＶＩ矢視図である。
【図８】使用状態での要部断面図である。
【図９】作用を説明するための要部断面図である。
【符号の説明】
１　ハウジング
２　接片部材
３　ベース
５　カバー
６　可動カバー
８　ばね体（コイルばね）
２１　接点部
２３　立下り部
２４　端子部
３０　突出部の他面
３２　突出部
３５　突出部の片面
３６　ベースの後面
４２　ガイド部
４３　リブ
４４　ガイド溝
４８　ばね受け座
４９　孔部
５５　押圧面
６１　摺動片部
６２　受部
１００　相手方コネクタ（ジャック型コネクタ）
１１０　差込み口
１２０　電極
【図１】
2004095514.tif 000003
【図２】
2004095514.tif 000004
【図３】
2004095514.tif 000005
【図４】
2004095514.tif 000006
【図５】
2004095514.tif 000007
【図６】
2004095514.tif 000008
【図７】
2004095514.tif 000009
【図８】
2004095514.tif 000010
【図９】
2004095514.tif 000011